(57)【要約】      （修正有）【課題】広い照射範囲を有する小型の照明装置を提供する。【解決手段】ケーシングＢ、ケーシングＢに内蔵されたＬＥＤ１と、ＬＥＤ１の光が透過する透過性を有し、ケーシングＢにＬＥＤ１の光軸と対向するように配されたカバー部材４とを備え、ＬＥＤ１は、ＬＥＤ１の照射面１０がケーシングＢの最外面と同面又はケーシングＢの最外面よりも外側に突出するように配置され、カバー部材４は、ＬＥＤ１側を凹部とし、照射側を凸部４１Ａとして形成された光の拡散部４Ａを有し、拡散部４ＡがケーシングＢの最外面から外側へ突出するように配置されている。【選択図】図１
2013073762.tif 000002
【特許請求の範囲】
【請求項１】
ケーシングと、前記ケーシングに内蔵された発光ダイオード素子と、前記発光ダイオード素子の光が透過する透過性を有し、前記ケーシングに前記発光ダイオード素子の光軸と対向するように配されたカバー部材とを備え、前記発光ダイオード素子は、該発光ダイオード素子の照射面が前記ケーシングの最外面と同面又は前記ケーシングの最外面よりも外側に突出するように配置され、前記カバー部材は、発光ダイオード素子側を凹部とし、照射側を凸部として形成された光の拡散部を有し、該拡散部が前記ケーシングの最外面から外側へ突出するように配置されていることを特徴とする照明装置。
【請求項２】
前記凹部及び前記凸部が曲面であることを特徴とする請求項１記載の照明装置。
【請求項３】
前記凹部及び前記凸部の曲面が球面であることを特徴とする請求項２記載の照明装置。
【請求項４】
前記凹部及び前記凸部の曲面が一方向に弧を描く円弧面であることを特徴とする請求項２記載の照明装置。
【発明の詳細な説明】
【技術分野】
【０００１】
本発明は、発光ダイオード素子を用いた照明装置に関する。
【背景技術】
【０００２】
発光ダイオード素子を用いた照明装置は、例えば、光を道路に照射する防犯用の街路灯に用いられている。このような照明装置には、一般的に水銀灯が用いられていたが、最近では、下記特許文献１に開示されているような発光ダイオード素子（以下、「ＬＥＤ」という）を用いた照明装置も使用されるようになってきている。
【０００３】
特許文献１に記載の照明装置は、中空管に複数のＬＥＤを内蔵してなる複数の発光体を、断面円弧状の保持部に、その円弧に沿って取り付けることによって広い照射範囲を確保するようにしている。
【先行技術文献】
【特許文献】
【０００４】
【特許文献１】特開２００９−１７６５６７号公報
【発明の概要】
【発明が解決しようとする課題】
【０００５】
しかしながら、この特許文献１の従来技術では、複数のＬＥＤを内蔵してなる発光体を相当数必要とし、しかも、この発光体を取り付ける断面円弧状の保持部を要するため、照明装置が大型化してしまうという問題があった。また、照明装置の製造コストが高く、この照明装置が高価なものになってしまうという問題もあった。
【０００６】
本発明は、このような問題に対処することを課題の一例とするものである。すなわち広い照射範囲を有する照明装置の小型化ができること、照明装置の製造コストを低減できること、小型化することで照明装置の設置やメンテナンスが容易にできること、製造コストを低減することで照明装置を安価にできること、等が本発明の目的である。
【課題を解決するための手段】
【０００７】
このような目的を達成するために、本発明による照明装置は、以下の構成を少なくとも具備するものである。
【０００８】
ケーシングと、前記ケーシングに内蔵された発光ダイオード素子と、前記発光ダイオード素子の光が透過する透過性を有し、前記ケーシングに前記発光ダイオード素子の光軸と対向するように配されたカバー部材とを備え、前記発光ダイオード素子は、該発光ダイオード素子も照射面が前記ケーシングの最外面と同面又は前記ケーシングの最外面よりも外側に突出するように配置され、前記カバー部材は、発光ダイオード素子側を凹部とし、照射側を凸部として形成された光の拡散部を有し、該記拡散部が前記ケーシングの最外面から外側へ突出するように配置されていることを特徴とする。
【０００９】
前記拡散部の凹部及び凸部は、曲面であることが好ましい。また、この凹部及び凸部の曲面は、球面であること又は一方向に弧を描く円弧面であることが好ましい。
【発明の効果】
【００１０】
このような特徴を有することで本発明は、以下の効果を奏する。すなわち、拡散部をケーシングの最外面から外側に突出させたことによって、広い照射範囲を有する照明装置の小型化ができるとともに、照明装置の製造コストを低減できる。小型化することで照明装置の設置やメンテナンスが容易にでき、製造コストを低減することで照明装置を安価にできる。
【図面の簡単な説明】
【００１１】
【図１】本発明の実施形態に係る照明装置の斜視図。
【図２】蓋体を開いた状態の照明装置の斜視図。
【図３】図１の（３）−（３）線断面図。
【図４】図３の（４）−（４）線断面図。
【図５】カバー部材の他の形態を示す断面図。
【図６】図５の（６）−（６）線断面図。
【発明を実施するための形態】
【００１２】
以下で説明する照明装置は、電柱や建物の壁面等に設置され、前述の道路の長手方向に沿って光を照射する防犯用に用いられるものである（防犯灯）。このような防犯灯は、社団法人日本防犯設備協会が定める照度基準を満足できるように、道路の長手方向に沿って一定間隔で複数設置される。
【００１３】
防犯灯の照度基準は、クラスＡ及びクラスＢと呼ばれるものがある。クラスＡは、水平面照度（平均値）５ルクス以上、鉛直面照度（最小値）１ルクス以上であって、４ｍ先の歩行者の顔の概要が識別できる照度である。クラスＢは、水平面照度（平均値）３ルクス以上、鉛直面照度（最小値）０．５ルクス以上であって、４ｍ先の歩行者の挙動・姿勢等がわかる照度である。
【００１４】
クラスＡ又はクラスＢのいずれの防犯灯を採用するかは、設置される道路状況や防犯上の重要性、歩行者数や交通量、周辺環境の明るさ、コスト等に応じて任意に決定できる。
【００１５】
防犯灯の設置間隔は、前述のクラスＡ又はクラスＢで定められた照度が確保できる間隔であればよく、少なくとも、クラスＡで６ｍ以上、クラスＢで１０ｍ以上あればよい。
【００１６】
以下、本発明の実施形態に係る照明装置を図面に基づいて説明する。図１〜図４は、照明装置Ａの構成図である。この照明装置Ａは、道路に光を照射する防犯用に用いられる防犯灯である。
【００１７】
照明装置Ａは、光源として複数の発光ダイオード素子（以下「ＬＥＤ」という）１を配した発光ユニット２と、発光ユニット２を駆動するための電源を形成する電源ユニット３と、発光ユニット２と光軸方向で対向するように配されたカバー部材４とを備え、発光ユニット２及び電源ユニット３がケーシングＢに収容されている。
【００１８】
ケーシングＢは、発光ユニット２及び 電源ユニット３を収容する収容体Ｂ１と、カバー部材４が取り付けられ、収容体Ｂ１を開閉する蓋体Ｂ２とを備えている。
【００１９】
収容体Ｂ１には、照明装置Ａを電柱等に取り付けるための取付け枠Ｂ３が備えられている。また、収容体Ｂ１の外壁には、多数の放熱板Ｂ４が形成されており、この放熱板Ｂ４を介してケーシングＢ内の熱を放熱するようになっている。
【００２０】
蓋体Ｂ２は、収容体Ｂ１の開口部Ｂ１０を開閉するように、蓋体Ｂ２の一辺側が開口部Ｂ１０の一辺側に回転可能に軸支されている。
【００２１】
開口部Ｂ１０の他辺側には、蓋体Ｂ２の閉状態を保持及び保持解除する係止部Ｂ１１が備えられており、この係止部Ｂ１１が蓋体Ｂ２に係合することによって蓋体Ｂ２の閉状態を保持し、係止部Ｂ１１の係合状態を解除することで蓋体Ｂ２が回転して開口部Ｂ１０が開放されるようになっている。
【００２２】
蓋体Ｂ２は係合解除されると自重によって回転して開口部Ｂ１０を開放するようになっている。蓋体Ｂ２には、カバー部材４により塞がれる貫通口Ｂ２０が開口されている。
【００２３】
取付け枠Ｂ３は、図１においてコ形に形成され、その両端部Ｂ３０、Ｂ３０が収容体Ｂ１に対して回転可能、且つ固定可能に軸支されている。取付け枠Ｂ３を電柱（図示せず）や壁面（図示せず）に固定した状態で、収容体Ｂ１を回転させて設置角度を調整し、所定の角度で収容体Ｂ１を固定するようになっている。
【００２４】
発光ユニット２は、複数のＬＥＤ１を基板２０に埋め込み固定するとともに、基板２０におけるプリント配線（図示せず）を介して直列接続して構成され、電源ユニット３と接続することでＬＥＤ１に電気を供給するようになっている。この発光ユニット２は、ＬＥＤ１の照射面１０が貫通口Ｂ２０からケーシングＢの外側に突出するように設けられており、このＬＥＤ１からの光が蓋体Ｂ２によって妨げられないようになっている。
【００２５】
尚、ＬＥＤ１の照射面１０の位置は、この照射面１０を貫通口Ｂ２０から蓋体Ｂ２の外側（ケーシングＢの外側）に突出させた位置に限らず、照射面１０の位置を蓋体Ｂ２の最外面（ケーシングＢの最外面）と同面となるようにしてもよい。
【００２６】
基板２０は、反射板４の中央部にＬＥＤ１の照射面１０が地面方向（図１及び図２において下向き）を向くように配置されている。
【００２７】
発光ユニット２は、ＬＥＤ１を除く部位が反射板２１によってカバーされている。反射板２１は、ＬＥＤ１と正対する部位に、このＬＥＤ１からの光が通過する通過口２１Ａが開口されており、この通過口２１ＡからＬＥＤ１の光を通過させてカバー部材４に向かうようにしている。また、反射板２１は、カバー部材４に反射する光を反射させてカバー部材４に向かわせるようにしている。
【００２８】
電源ユニット３は、外部電源（図示せず）に接続されるコンセントプラグ３０を備えた電源ケーブル３１が備えられており、この電源ユニット３が前述の外部電源からの電気を発光ユニット２に供給するようになっている。
【００２９】
カバー部材４は、透明又は透過性を有するガラス又は硬質の合成樹脂を用いて、ＬＥＤ１の光を拡散する拡散部４Ａと、この拡散部５Ａを囲むフランジ４Ｂとを一体に形成したものである。
【００３０】
拡散部４Ａは、ＬＥＤ１側（内側）を球面の凹部４０Ａとし、照射側（外側）を凹部４０Ａと同心の球面の凸部４１Ａから構成されている。この拡散部４Ａは、凸部４１Ａを照射側に向けて、この凸部４１Ａが貫通口Ｂ２０から外側に突出するようにされている。
【００３１】
すなわち、拡散部４Ａを球面の凸部４１Ａが貫通口Ｂ２０から突出するように配置して、蓋体Ｂ２の外側でＬＥＤ１からの光を拡散させるようにしているので、平面方向３６０°の範囲で、且つ広い範囲に照射できる。また、ＬＥＤ１を貫通口Ｂ２０から蓋体Ｂ２の外側に突出させて、ＬＥＤ１からの光が蓋体Ｂ２によって妨げられないようになっているため、ＬＥＤ１の光を効率的に広い範囲に照射できる。
【００３２】
フランジ４Ｂは、貫通口Ｂ２０の内周縁と相似形とし、且つこの内周縁よりも大きい外周縁を有しており、このフランジ５Ｂを通過口Ｂ２０の周囲面に取り付けることによって、カバー部材４を蓋体Ｂ２に取り付けるようになっている。フランジ５Ｂの取付け構造は、ねじ止め（図示せず）等によって着脱自在な構造が好ましい。
【００３３】
このようなカバー部材４を備えた照明装置Ａによると、球面状の凸部４１Ａを有する拡散部４Ａが蓋体Ｂ２の外側でＬＥＤ１からの光を拡散し、しかも、ＬＥＤ１を蓋体Ｂ２の最外面よりも外側に突出させることで、このＬＥＤ１からの光が蓋体Ｂ２によって妨げられないようにしているので、ＬＥＤ１からの光を効率よく拡散させることができ、これによってＬＥＤ１からの光を広い範囲に照射することができる。
【００３４】
また、ＬＥＤ１からの光を効率よく拡散させて、このＬＥＤ１からの光を広い範囲に照射することができるため、ＬＥＤ１又は発光ユニット２を増設する必要がない。
【００３５】
また、ＬＥＤ１又は発光ユニット２を増設する必要がないため、広い照射範囲を備える照明装置Ａの小型化が実現できるとともに、照明装置Ａの製造コストを低減できる。そして、照明装置Ａを小型化することで、この照明装置Ａの設置やメンテナンスが容易にでき、照明装置Ａの製造コストを低減することで、照明装置Ａを安価にできる。
【００３６】
更に、平面方向３６０°の範囲で、且つ広い範囲に照射できるため、例えば、公園等の広い場所のように、照射する方向が平面方向３６０°の範囲であるような場所においても、効率的に光を照射することができる上に、道路等のように一方向に照射範囲を広くする必要がある場所でも使用できる。
【００３７】
図５及び図６は、カバー部材４’の他の形態の構成図である。このカバー部材４’は、拡散部４Ｃを凹部４０Ｃ及び凸部４１Ｃの曲面が一方向に弧を描く円弧面として形成したものである。このような拡散部４Ｃを有するカバー部材４’によると、ＬＥＤ１からの光を一方向に沿って拡散することができ、これによって、例えば、道路等のように一方向に照射範囲を広くする必要がある場所において光を効率よく照射することができる。
【００３８】
尚、本発明は、例示した実施の形態に限定するものではなく、特許請求の範囲の各項に記載された内容から逸脱しない範囲の構成による実施が可能である。
【符号の説明】
【００３９】
Ａ：照明装置
Ｂ：ケーシング
１：ＬＥＤ（発光ダイオード素子）
４：カバー部材
４’：カバー部材
１０：照射面
４Ａ：拡散部
４Ｂ：拡散部
４０Ａ：凹部
４０Ｃ：凹部
４１Ａ：凸部
４１Ｃ：凸部
【図１】
2013073762.tif 000003
【図２】
2013073762.tif 000004
【図３】
2013073762.tif 000005
【図４】
2013073762.tif 000006
【図５】
2013073762.tif 000007
【図６】
2013073762.tif 000008